(57)【要約】【課題】  本発明は、主としてズボンやスカート等にウエストサイズ調整用としてウエスト部に取付けて使用され、これらのサイズを一定範囲内において調整可能とする調整用鉤ホックであり、購入時における衣服用ホックへ着脱可能とした調整用鉤ホックを提供する。【解決手段】  雄ホック及び雌ホックを有してスカート、ズボン等のウエストサイズを調節可能とする調節用鉤ホックにおいて、調節用鉤ホックは基体及びスライドホック部材から構成され、基体における一端部に雄ホック若しくは雌ホックを形成し、スライドホック部材は前記基体の長手方向に対してスライド可能となるよう、当該スライドホック部材を折曲して前記基体を覆設するとともに、当該折曲した一部に雌ホック若しくは雄ホックを形成し、前記基体及び前記スライドホック部材を係合手段にて係合した調節用鉤ホック。【選択図】  図４
2009213871.tif 000002
【特許請求の範囲】
【請求項１】
雄ホック及び雌ホックを有してスカート、ズボン等のウエストサイズを調節可能とする調節用鉤ホックにおいて、
調節用鉤ホックは基体及びスライドホック部材から構成され、
基体における一端部に雄ホック若しくは雌ホックを形成し、
スライドホック部材は前記基体の長手方向に対してスライド可能となるよう、当該スライドホック部材を折曲して前記基体を覆設するとともに、当該折曲した一部に雌ホック若しくは雄ホックを形成し、
前記基体及び前記スライドホック部材を係合手段にて係合したことを特徴とする調節用鉤ホック。
【請求項２】
基体の幅方向における平面部を覆設するスライドホック部材の端面の一部を爪部とし、
前記爪部は当該端面の一端辺から長手方向に沿って両端に溝を有してなり、
当該端面の一端辺側における爪部の端部を略フック形状として、
基体の幅方向における平面部の長手方向に沿って所定の間隔を有して列設する係合孔に係合させることを係合手段としたことを特徴とする請求項１に記載の調節用鉤ホック。
【請求項３】
基体の幅方向における平面部を覆設するスライドホック部材の端面に係合孔を設け、
基体の幅方向における平面部の長手方向に沿って所定の間隔を有して列設する係合凸部を係合させることを係合手段としたことを特徴とする請求項１に記載の調節用鉤ホック。
【請求項４】
基体は雄ホックを有し、スライドホック部材は雌ホックを有し、前記雌ホックは基体の厚み方向を覆設するスライドホック部材における一方の側面部が当該側面部の上方へ延設して形成され、当該延設された端部を他方の側面部内へ嵌合させて、当該側面部を平滑面としたことを特徴とする請求項１乃至請求項３に記載の調節用鉤ホック。
【請求項５】
基体における他端部には、幅方向若しくは平面部の裏面に突出してなる当接片を設け、
雄ホックをスライドホック部材の下方に位置するよう折曲して設けたことを特徴とする請求項１乃至請求項４に記載の調節用鉤ホック。
【請求項６】
基体における他端部に貫通孔を設けたことを特徴とする請求項１乃至請求項５に記載の調節用鉤ホック。
【発明の詳細な説明】
【技術分野】
【０００１】
本発明は、主としてズボンやスカート等にウエストサイズ調整用としてウエスト部に取付けて使用され、これらのサイズを一定範囲内において調整可能とする調整用鉤ホックに関する。
【背景技術】
【０００２】
従来から、ズボン或いはスカート等の衣服のウエストサイズを調整可能とする構成が知られている。
例えば、本出願人は、次のようなウエストサイズ調節具を発明している。ズボン等の開放端部の一端に取付けられる雄ホック体と、開放端部の他端に取付けられ、前記雄ホック体と係脱自在に掛止する受止体とからなるウエストサイズ調節具において、前記雄ホック体は、長手方向に溝を形成したスライドガイド部材と、該スライドガイド部材の長手方向に摺動可能で、且つ、受止体との掛止手段となる鈎ホック部を形成したスライドホック部材とから構成され、前記スライドガイド部材は、前記溝の底部に、所定間隔で列設された係合突起を有し、前記スライドホック部材は、前記溝内を摺動し、且つ前記係合突起に対して係止可能な係合爪を形成したウエストサイズ調節具が公知である（例えば、特許文献１参照）。
【特許文献１】特開２００３−１３５１０８号公報
【発明の概要】
【発明が解決しようとする課題】
【０００３】
しかし、当該構成においては、生地に対する取付手段となる取付爪を有しており、衣服への取り付けを前提としたものである。従って、ズボン或いはスカート等を購入した際に、特許文献１における衣服用ホックを有する衣服であれば問題ないが、当該衣服用ホックを有しない衣服であれば、購入時に取り付けられている衣服用ホックとは別に特許文献１における衣服用ホックを衣服へ取り付けなければならない。
このような場合には、衣服のウエスト部に複数個の衣服用ホックを有することになる、或いは、購入時に取り付けられていた衣服用ホックを取り外した後に、特許文献１における衣服用ホックを取り付ける等といったこととなり、体裁が悪くなるか、或いは、取替え作業が煩雑なものとなる。
また、スライドホック部材において鉛直方向に設けられた係合爪を、スライドガイド部材における溝の底部に設けられた係合突起に対して係止可能とし、撓み量を維持すべく所定の長さを有するようにしたことから、結果として、衣服用ホックの厚みが増してしまう。
また、雄ホックと雌ホックが別体である為、いずれを紛失しても使用が不可能となってしまうものである。
【０００４】
そこで、本発明はこのような問題点を解決するものであって、主としてズボンやスカート等にウエストサイズ調整用としてウエスト部に取付けて使用され、これらのサイズを一定範囲内において調整可能とする調整用鉤ホックであり、購入時における衣服用ホックへ着脱可能とした調整用鉤ホックを提供することを課題とする。
【課題を解決するための手段】
【０００５】
前記問題点を解決するために、本発明の請求項１に記載の発明の調節用鉤ホックは、雄ホック及び雌ホックを有してスカート、ズボン等のウエストサイズを調節可能とする調節用鉤ホックにおいて、調節用鉤ホックは基体及びスライドホック部材から構成され、基体における一端部に雄ホック若しくは雌ホックを形成し、スライドホック部材は前記基体の長手方向に対してスライド可能となるよう、当該スライドホック部材を折曲して前記基体を覆設するとともに、当該折曲した一部に雌ホック若しくは雄ホックを形成し、前記基体及び前記スライドホック部材を係合手段にて係合したことを特徴とするものである。
【０００６】
また、本発明の請求項２に記載の発明の調節用鉤ホックは、請求項１記載の調節用鉤ホックにおいて、基体の幅方向における平面部を覆設するスライドホック部材の端面の一部を爪部とし、前記爪部は当該端面の一端辺から長手方向に沿って両端に溝を有してなり、当該端面の一端辺側における爪部の端部を略フック形状として、基体の幅方向における平面部の長手方向に沿って所定の間隔を有して列設する係合孔に係合させることを係合手段としたことを特徴とするものである。
【０００７】
また、本発明の請求項３に記載の発明の調節用鉤ホックは、請求項１に記載の調節用鉤ホックにおいて、基体の幅方向における平面部を覆設するスライドホック部材の端面に係合孔を設け、基体の幅方向における平面部の長手方向に沿って所定の間隔を有して列設する係合凸部を係合させることを係合手段としたことを特徴とするものである。
【０００８】
また、本発明の請求項４に記載の発明の調節用鉤ホックは、請求項１乃至請求項３に記載の調節用鉤ホックにおいて、基体は雄ホックを有し、スライドホック部材は雌ホックを有し、前記雌ホックは基体の厚み方向を覆設するスライドホック部材における一方の側面部が当該側面部の上方へ延設して形成され、当該延設された端部を他方の側面部内へ嵌合させて、当該側面部を平滑面としたことを特徴とするものである。
【０００９】
また、本発明の請求項５に記載の発明の調節用鉤ホックは、請求項１乃至請求項４に記載の調節用鉤ホックにおいて、基体における他端部には、幅方向若しくは平面部の裏面に突出してなる当接片を設け、雄ホックをスライドホック部材の下方に位置するよう折曲して設けたことを特徴とするものである。
【００１０】
また、本発明の請求項６に記載の発明の調節用鉤ホックは、請求項１乃至請求項５に記載の調節用鉤ホックにおいて、基体における他端部に貫通孔を設けたことを特徴とするものである。
【発明の効果】
【００１１】
請求項１記載の調節用鉤ホックに係る発明では、基体に雄ホック若しくは雌ホックを形成し、基体に対してスライド可能となるよう折曲して基体を覆設したスライドホック部材に雌ホック若しくは雄ホックを形成し、両者を係合手段によって係合したので、ズボン等のウエストサイズが利用者のウエストサイズに適合するサイズに調節することができるといった、従来からの効果と同様の効果を奏することは勿論のこと、購入時よりズボン、スカート等に取り付けられている衣服用雌ホックに調節用鉤ホックにおける雄ホック若しくは雌ホックを取り付けることができるので、既存のズボン等にも使用することができる。
これによって、ズボン等のウエスト部にホックを並列して複数に亘り有するといった体裁が悪くなるということもなくなる。
また、購入時よりズボン、スカート等に取り付けられている衣服用雌ホックを取替える必要もなくなる。更に、ズボン等のウエスト部の生地に直接取り付けないことから、調節用鉤ホックの着脱を容易に行うことができる。
また、基体とスライドホック部材を一体に係合して形成することから、いずれか一方のみを紛失してしまい、調節用鉤ホックの使用ができなくなることもなくなる。
【００１２】
また、請求項２記載の調節用鉤ホックに係る発明では、請求項１記載の調節用鉤ホックにおいて、基体の幅方向における平面部を覆設するスライドホック部材の端面の一部を爪部とし、基体の幅方向における平面部の長手方向に沿って所定の間隔を有して列設する係合孔に係合させるので、基体における平面部と爪部を並設するようにして設けることができる。よって、調節用鉤ホックの高さを減少させることができる。従って、調節用鉤ホックを全体として薄型にすることができ、意匠性を向上させることができる。
【００１３】
また、請求項３記載の調節用鉤ホックに係る発明では、請求項１記載の調節用鉤ホックにおいて、基体の幅方向における平面部を覆設するスライドホック部材の端面に係合孔を設け、基体の幅方向における平面部の長手方向に沿って所定の間隔を有して列設する係合凸部を係合させるので、請求項２に記載の調節用鉤ホックと同様に、調節用鉤ホックの高さを減少させることができる。これによって、調節用鉤ホックを全体として薄型にすることができ、意匠性を向上させることができる。
【００１４】
また、本発明の請求項４に記載の発明の調節用鉤ホックは、請求項１乃至請求項３に記載の調節用鉤ホックにおいて、基体は雄ホックを有し、スライドホック部材は雌ホックを有し、前記雌ホックを基体の厚み方向を覆設するスライドホック部材における一方の側面部が当該側面部の上方へ延設して形成し、当該延設された端部を他方の側面部内へ嵌合させて、当該側面部を平滑面としたので、衣服等が引っ掛かるようなこともなくなる。
また、折曲させた雌ホックにおける端部を側面部へ嵌合させることから、雌ホックの長手方向に対する強度を向上させることができるので、ズボン、スカート等に取り付けられている衣服用雄ホックを繰り返し取り付ける作業を行っても曲折することもなく、長期に亘り使用することができる。
【００１５】
また、請求項５記載の調節用鉤ホックに係る発明では、請求項１乃至請求項４に記載の調節用鉤ホックにおいて、基体における他端部には、幅方向若しくは平面部の裏面に突出してなる当接片を設けたので、スライドホック部材がスライドした際でも、基体における当接片とスライドホック部材における側面部が当接するので、スライドホック部材が外れるのを防止することができる。
また、雄ホックをスライドホック部材の下方に位置するよう折曲して設けたので、本願発明の調節用鉤ホックを取り付けた際には、購入時よりズボン、スカート等に取り付けられている衣服用雌ホックを覆い隠すことができる。これによって、ズボン、スカート等におけるウエスト部の体裁をよくすることができる。
【００１６】
また、請求項６記載の調節用鉤ホックに係る発明では、請求項１乃至請求項５に記載の調節用鉤ホックにおいて、基体における他端部に貫通孔を設けたので、当該端部を糸等を介してズボン、スカート等に縫着することができるので、調節用鉤ホックの幅方向において当該端部が遊動するのを防止することができる。
【図面の簡単な説明】
【００１７】
【図１】本発明の実施例１における調節用鉤ホックの斜視図である。
【図２】本発明の実施例１における調節用鉤ホックの（ａ）正面図、及び（ｂ）正面垂直断面図である。
【図３】本発明の実施例１における調節用鉤ホックの（ａ）背面図、及び（ｂ）平面図である。
【図４】本発明の実施例１における調節用鉤ホックをズボンにおけるズボン雌ホックへ取り付けた際の部分説明図である。
【図５】本発明の実施例１における調節用鉤ホックをズボンにおけるズボン雌ホックへ取り付けた際の垂直断面図である。
【図６】本発明の実施例２における調節用鉤ホックの斜視図である。
【図７】本発明の実施例２における調節用鉤ホックの（ａ）正面図、及び（ｂ）正面垂直断面図である。
【図８】本発明の実施例３における調節用鉤ホックの斜視図である。
【図９】本発明の実施例３における調節用鉤ホックの（ａ）正面図、及び（ｂ）正面垂直断面図である。
【図１０】本発明の実施例４における調節用鈎ホックの斜視図である。
【図１１】本発明の実施例４における調節用鈎ホックの（ａ）正面図、及び（ｂ）正面垂直断面図である。
【図１２】本発明の実施例４における調節用鈎ホックの（ａ）背面図、及び（ｂ）平面図である。
【図１３】本発明の実施例１における調節用鉤ホックの端部に生地への取付を可能とする貫通孔を設けた別仕様の斜視図である。
【図１４】本発明の実施例２における調節用鉤ホックの端部に生地への取付を可能とする貫通孔を設けた別仕様の斜視図である。
【図１５】本発明の実施例３における調節用鉤ホックの端部に生地への取付を可能とする貫通孔を設けた別仕様の斜視図である。
【図１６】本発明の実施例４における調節用鉤ホックの端部に生地への取付を可能とする貫通孔を設けた別仕様の斜視図である。
【発明を実施するための形態】
【００１８】
以下、本発明の実施の形態における調節用鉤ホックを図面に基づいて説明する。
【００１９】
図１は、本発明の実施例１における調節用鉤ホックの斜視図である。図２は、本発明の実施例１における調節用鉤ホックの（ａ）正面図、及び（ｂ）正面垂直断面図である。図３は、本発明の実施例１における調節用鉤ホックの（ａ）背面図、及び（ｂ）平面図である。図４は、本発明の実施例１における調節用鉤ホックをズボンにおけるズボン雌ホックへ取り付けた際の部分説明図である。図５は、本発明の実施例１における調節用鉤ホックをズボンにおけるズボン雌ホックへ取り付けた際の垂直断面図である。図６は、本発明の実施例２における調節用鉤ホックの斜視図である。図７は、本発明の実施例２における調節用鉤ホックの（ａ）正面図、及び（ｂ）正面垂直断面図である。図８は、本発明の実施例３における調節用鉤ホックの斜視図である。図９は、本発明の実施例３における調節用鉤ホックの（ａ）正面図、及び（ｂ）正面垂直断面図である。図１０は、本発明の実施例４における調節用鈎ホックの斜視図である。図１１は、本発明の実施例４における（ａ）正面図、及び（ｂ）正面垂直断面図である。図１２は、本発明の実施例４における調節用鈎ホックの（ａ）背面図、及び（ｂ）平面図である。図１３は、本発明の実施例１における調節用鉤ホックの端部に生地への取付を可能とする貫通孔を設けた別仕様の斜視図である。図１４は、本発明の実施例２における調節用鉤ホックの端部に生地への取付を可能とする貫通孔を設けた別仕様の斜視図である。図１５は、本発明の実施例３における調節用鉤ホックの端部に生地への取付を可能とする貫通孔を設けた別仕様の斜視図である。図１６は、本発明の実施例４における調節用鉤ホックの端部に生地への取付を可能とする貫通孔を設けた別仕様の斜視図である。
【実施例１】
【００２０】
本発明の調節用鉤ホックの実施例１について、図１乃至図５に基づいて説明する。
【００２１】
本願発明の実施の形態に係る調節用鉤ホック１は、図４に示すように、ズボン４におけるウエスト部４ａのズボン雌ホック４ｅへ取り付けられる基体２、及びズボン雄ホック４ｄへ取り付けられるスライドホック部材３が係合されることによって構成されている。
【００２２】
図１乃至図３に示すように、前記基体２は、略長方形の金属板を略Ｊ字状に折曲することにより形成され、係合孔２ｄを有する平面部２ａ、雄ホック２ｂ、及び当接片２ｃからなるものである。
前記平面部２ａにおける長手方向の一端部は、幅寸法が合致するよう略Ｊ字状に折曲され、ズボン４におけるズボン雌ホック４ｅへ係合される前記雄ホック２ｂを形成する。
一方、長手方向の他端部には、スライドホック部材３が離脱するのを防止する為に、前記基体２における幅方向に突出してなる当接片２ｃが設けられている。
【００２３】
また、前記当接片２ｃ側における前記平面部２ａの幅方向の略中央部には、所定の間隔を有して複数個の係合孔２ｄが列設されており、当該間隔によって、ウエストサイズの調節を可能とするものである。前記係合孔２ｄの形状は、後述するスライドホック３における係合爪３ｆにおける略フック形状の端部が係合し得る形状であればよく、略四角形状、略円形状、楕円状等にすることができる。
【００２４】
同様の図１乃至図３に示すように、前記スライドホック部材３は、前記基体２における幅寸法を覆設するように、上端面部３ａ、側面部３ｂ及び下端面部３ｃを有して、金属板を折曲することにより形成される。
また、長手方向の前記側面部３ｂにおける略中央部は、前記上端面部３ａの上方へ延設するとともに他方の側面部３ｂへ亘って、ズボン４におけるズボン雄ホック４ｄへ係合される雌ホック３ｄを形成する。このとき、図３（ａ）に示すように、前記雌ホック３ｄにおける端部３ｅは、側面部３ｂにおける嵌合孔（図示しない）へ嵌合される。これによって、図３（ｂ）に示すように、前記雌ホック３ｄの端面を前記側面部３ｂの端面と同一平面として平滑面にすることができるので、衣服等が引っ掛かるようなこともなくなる。
更に、折曲させた前記雌ホック３ｄにおける端部３ｅを側面部３ｂにおける嵌合孔（図示しない）へ嵌合させることから、前記雌ホック３ｄの長手方向に対する強度を向上させることができるので、ズボン４におけるズボン雄ホック４ｄを繰り返し取り付ける作業を行っても曲折することはない。
【００２５】
また、図１及び図３（ｂ）に示すように、幅方向の前記上端面部３ａにおける略中央部には、一端辺から他端辺付近まで、所定の長さの溝３ｇが２箇所に設けられ、当該溝３ｇの間は係合爪３ｆを形成する。また、前記係合爪３ｆの端部は、図２（ｂ）に示すように、下端面部３ｃ側へ略フック形状に折曲させて形成される。このように、前記基体２における係合孔２ｄに係合させやすいよう、前記爪部３ｆは一端辺から他端辺までの所定の長さを有して、金属板の弾性を利用し、撓み易いよう形成されている。
【００２６】
次に、本実施例１における前記調節用鉤ホック１の組立方法の一例について説明する。
まず、前記スライドホック部材３における爪部３ｆを前記基体２における当接片２ｃ側に配置し、前記基体２における平面部２ａの下方位置で、且つ、前記雄ホック２ｂとの間隙に、前記スライドホック部材３における下端面部３ｃを配置する。後に、前記下端面部３ｃを前記基体２における幅寸法よりも僅かに大きくして、前記側面部３ｂを折曲して設け、前記爪部３ｆを有した上端面部３ａを平面部２ａの上方から覆設するように折曲させ、狭持して係合する。このとき、前記上端面部２ａの端部辺は、図１に示すように、前記側面部３ｂと当接することが望ましい。
その後、上述のようにして、前記雌ホック３ｄの端部３ｅを側面部３ｂにおける嵌合孔（図示しない）へ嵌合させることで、前記スライドホック部材３が前記基体２を狭持して係合し、前記調節用鉤ホック１は組み立てられる。
【００２７】
このようにして係合される前記スライドホック部材３は、前記基体２における係合孔２ｄの間隔に応じてスライド可能となるが、前記基体２における当接片２ｃと前記スライドホック部材３における側面部３ｂが当接するので、前記スライドホック部材３は外れることはない。
【００２８】
図４及び図５に示すようにして、本実施例１における前記調節用鉤ホック１はズボン４等へと取付けられる。
まず、購入時よりウエスト部４ａにおける下生地４ｃに取り付けられているズボン雌ホック４ｅに前記調節用鉤ホック１における前記雄ホック２ｂを取り付ける。このとき、前記基体２における前記当接片２ｃを前記下生地４ｃの端部側に位置するように取り付ける。
当該調節用鉤ホック１においては、前記下生地４ｃへの縫着等を要しないので、着用する前記ズボン４に合わせて、即座に前記調節用鉤ホック１を使用することができ、汎用性を持たせることができる。
【００２９】
また、利用者が着用時において、前記下生地４ｃに前記調節用鉤ホック１を有するのを気に掛ける際には、前記上生地４ｂにおける前記ズボン雄ホック４ｄへ前記調節用鉤ホック１の前記雌ホック３ｄを取り付けることもできる。これによって、着用時においては、前記調節用鉤ホック１を前記上生地４ｂの内側面に隠すことができるので、外観上の体裁を気に掛ける必要もなくなる。このとき、前記調節用鉤ホック１の取付方向は、前記下生地４ｃに取り付ける場合と同様である。
【００３０】
本実施例によれば、図４及び図５に示すように、前記調節用鉤ホック１が取付けられた前記ズボン４は、利用者（着衣者）が着衣して、前記ズボン雄ホック４ｄを前記調節用鉤ホック１の前記雌ホック３ｄに掛ける。
【００３１】
このとき、予め、前記調節用鉤ホック１におけるスライドホック部材３をスライドさせ、利用者のウエストサイズに調節しておく必要がある。前記調節用鉤ホック１の通常着用状態においては、腹圧が前記雌ホック３ｄの上端面に対して略垂直方向に作用する為、前記スライドホック部材３が前記基体２に押し付けられることになる。よって、不用意に前記スライドホック部材３がスライドしないことから、前記爪部３ｆにおける略フック形状の端が前記係合孔２ｄに確実に係合されることになり、着用時においては自動的にウエストサイズを調節することができない為である。
【００３２】
前記調節用鉤ホック１における係合手段の調節においては、前記爪部３ｆは上端面部３ａ上において、一端辺から他端辺までの所定の長さを有して、金属板の弾性を利用し、撓み易いよう形成されているので、指で前記スライドホック部材３をスライドさせると、前記係合孔２ｄに係合されている略フック形状の端部が係合孔２ｄの内壁に当接し、前記雌ホック３ｄ方向に向かって十分撓む。これによって、係合孔２ｄとの係合を解除し得る。従って、前記爪部３ｆは、前記係合孔２ｄを円滑に乗り越えることができ、隣接する係合孔２ｄへ係合させることで行うことができる。
【００３３】
以上、説明した本発明の実施例１に係る前記調節用鉤ホック１によれば、前記ズボン４のウエストサイズが利用者のウエストサイズに適合するサイズに調節することができるといった、従来からの効果と同様の効果を奏することは勿論のこと、購入時より前記ズボン４に取り付けられている前記ズボン雌ホック４ｅに前記調節用鉤ホック１における前記雄ホック２ｂを取り付けるので、既存のズボン等にも使用することができる。
これによって、前記ズボン４のウエスト部４ａに複数個のホックを有するといった体裁が悪くなるということもなくなる。
また、購入時より前記ズボン４に取り付けられている前記ズボン雌ホック４ｅを取替える必要もなくなる。更に、前記ズボン４の前記ウエスト部４ａの生地に直接取り付けないことから、前記調節用鉤ホック１の着脱を容易に行うことができる。
また、前記雄ホック２ｂを前記基体２の下方位置に設けたので、前記調節用鉤ホック１を取り付けた際には、購入時より前記ズボン４に取り付けられている前記ズボン雌ホック４ｅを覆い隠すことができる。これによって、ズボン、スカート等におけるウエスト部の体裁をよくすることができる。
また、前記基体２と前記スライドホック部材３を一体に係合して形成することから、いずれか一方のみを紛失してしまい、前記調節用鉤ホック１の使用ができなくなることもなくなる。
更に、前記係合爪３ｆを前記基体２における平面部２ａに並設するようにして設けたことから、前記調節用鉤ホック１の高さを減少させることができる。これによって、前記調節用鉤ホック１を全体として薄型にすることができ、意匠性を向上させることができる。
また、前記雌ホック３ｄにおける端部３ｅを、側面部３ｂにおける嵌合孔（図示しない）へ嵌合させて、前記雌ホック３ｄの端面を前記側面部３ｂの端面と同一平面として平滑面にすることができるので、衣服等が引っ掛かるようなこともなくなる。
更に、折曲させた前記雌ホック３ｄにおける端部３ｅを側面部３ｂにおける嵌合孔（図示しない）へ嵌合させることから、前記雌ホック３ｄの長手方向に対する強度を向上させることができるので、ズボン４におけるズボン雄ホック４ｄを繰り返し取り付ける作業を行っても曲折することもなく、長期に亘り使用することができる。
【００３４】
また、本実施例においては、前記係合爪３ｆを前記上端面部３ａ側に設けたが、前記下端面部３ｃ側に設けることもできる。この場合においても、略同等の作用及び効果を奏することは勿論である。
更に、本実施例における係合手段は、前記基体２及び前記スライドホック部材３における幅方向の略中央部に位置するものであったが、当該箇所に限られるものではなく、例えば、幅方向の端部において列設する前記係合孔２ｄを櫛形状とすることもできる。本実施例における係合手段は、前記基体２及び前記スライドホック部材３における幅方向のいずれの箇所に設けた際にも、同等の作用及び効果を奏することは勿論である。
【実施例２】
【００３５】
次に、本発明の調節用鉤ホックの実施例２における調節用鉤ホック５について図６及び図７に基づいて説明する。本実施例２おける発明は、実施例１と略同様の作用及び効果を奏するものであるが、実施例１における基体２とスライドホック部材３との係合手段が相違する。
【００３６】
図６及び図７に示すように、前記実施例１における基体２と略同様の形状を有する基体６は、平面部６ａ、雄ホック６ｂ、当接片６ｃ及び係合凸部６ｄより形成される。当該基体６は、雄ホック６ｂを有しない側の平面部６ａ上において、前記実施例１における係合孔２ｄが係合凸部６ｄに置換した点で相違する。
また、前記実施例１におけるスライドホック部材３と略同様の形状を有するスライドホック部材７は、上端面部７ａ、側面部７ｂ、下端面部７ｃ、雌ホック７ｄ及び係合孔７ｅより形成される。当該スライドホック部材７は、上端面部７ａにおいて、前記実施例１における爪部３ｆが係合孔７ｅに置換した点で相違する。
【００３７】
実施例１における係合手段は、主に図１に示すように、基体２における係合孔２ｄにスライドホック部材３における係合爪３ｆを係合させるものであったが、実施例２における係合手段は、主に図６に示すように、前記基体６におけるスライドホック部材７を有する側の平面部６ａに設けられた係合凸部６ｄを、前記スライドホック部材７における上端面部７ａに設けられた係合孔７ｅに係合させるものである。
【００３８】
また、本実施例においては、前記係合凸部６ｄを前記基体６におけるスライドホック部材７を有する側の平面部６ａに設けたが、前記雄ホック６ｂ側の平面部６ａに設けることもできる。その際には、前記係合孔７ｅにおいても、前記下端面部７ｃ側に設けなければならない。この場合においても、略同等の作用及び効果を奏することは勿論である。
更に、本実施例における係合手段は、前記実施例１と同様に、前記基体６及び前記スライドホック部材７における幅方向の略中央部に位置するものであるが、当該箇所に限られるものではなく、前記基体６及び前記スライドホック部材７における幅方向のいずれの箇所に設けた際にも、同等の作用及び効果を奏することは勿論である。
【実施例３】
【００３９】
次に、本発明の調節用鉤ホックの実施例３における調節用鉤ホック８について図８及び図９に基づいて説明する。本実施例３おける発明は、実施例１及び実施例２と略同様の作用及び効果を奏するものであるが、実施例１及び実施例２における係合手段が相違する。
【００４０】
図８及び図９に示すように、前記実施例１における基体２と略同様の形状を有する基体９は、平面部９ａ、雄ホック９ｂ、当接片９ｃ及び係合凸部９ｄより形成される。当該基体９は、雄ホック９ｂを有しない側の平面部９ａ上において、前記実施例１における係合孔２ｄが係合凸部９ｄに置換した点で相違する。
また、前記実施例１におけるスライドホック部材３と略同様の形状を有するスライドホック部材１０は、上端面部１０ａ、側面部１０ｂ、下端面部１０ｃ、雌ホック１０ｄ及び係合孔１０ｅより形成される。当該スライドホック部材１０は、上端面部１０ａにおいて、前記実施例１における爪部３ｆが係合孔１０ｅに置換した点で相違する。
【００４１】
実施例３では、図８に示すように、略長方形の金属板より形成される基体９は、当接片９ｃを有しない平面部９ａの一端部に雌ホック９ｂを上方へ突出させて設け、図９に示すように、前記雌ホック９ｂを有しない側の平面部９ａには、前記実施例２と略同等の係合凸部９ｄを設けて形成される。当該基体９上に、雌ホック９ｂを有した点で実施例１及び実施例２と相違する。
また、図９に示すように、スライドホック部材１０は、前記基体９を覆設するように、上端面部１０ａ、側面部１０ｂ、下端面部１０ｃ及び雄ホック１０ｄを有して、金属板を折曲することにより形成される。前記雄ホック１０ｄは下端面部１０ｃの一端部を延設して折曲し設け、更に、下端面部１０ｃには前記係合凸部９ｄと係合し得る係合孔１０ｅが設けられている。当該スライドホック部材１０上に、雄ホック１０ｄを有した点で実施例１及び実施例２と相違する。
【００４２】
このように形成される前記基体９及び前記スライドホック部材１０は、前記実施例１及び前記実施例２と同様にして係合され、前記雄ホック１０ｄは、前記当接片９ｃ側に有するようにして係合されていればよい。
本実施例３における係合手段は、主に図９に示すように、前記基体９における雌ホック９ｂを有しない側の平面部９ａに設けられた前記係合凸部９ｄを、前記スライドホック部材１０における前記下端面部１０ｃに設けられた前記係合孔１０ｅに係合させるものである。
【００４３】
また、本実施例においては、前記係合凸部９ｄは前記雌ホック９ｂを有しない面に設けたが、前記雌ホック９ｂと同一面上に設けることもできる。その際には、前記係合孔１０ｅにおいても、上端面部１０ａ側に設けなければならない。この場合においても、略同等の作用及び効果を奏することは勿論である。
更に、本実施例における係合手段は、前記基体９及び前記スライドホック部材１０における幅方向の略中央部に位置するものであったが、当該箇所に限られるものではなく、前記基体９及び前記スライドホック部材１０における幅方向のいずれの箇所に設けた際にも、同等の作用及び効果を奏することは勿論である。
【実施例４】
【００４４】
次に、本発明の実施例４に係る調節用鈎ホック１１を示す。本実施例４に係る調節用鈎ホックは、前記実施例１に係る調節用鈎ホックと略同様の構成を有するものであるが、以下の構成において相違する。
即ち、本実施例４においては、図１０乃至図１２に示すように、実施例１における当接片２ｃに代えて基体２の平面部２ａにおける裏面２ｈに当接片２ｅを形成した構成とし、基体２における雄ホック３の根元となる位置に段差２ｆを形成した構成を付加し、更に、雄ホック３の中央にホック内突起２ｇを形成した構成を付加したものである。
【００４５】
本実施例４において、実施例１における当接片２ｃに代えて基体２の平面部２ａにおける裏面に当接片２ｅを形成した構成としたことで、当該当接片２ｅが不用意に生地等に引っ掛かる虞がなくなり、取扱い性をより向上させることができる。
【００４６】
また、基体２における雄ホック３の根元となる位置に段差２ｆを形成したことによっては、雄ホック３の係合時において、スライドホック部材が雄ホック３の中まで入り込むことがないから、係合操作の邪魔とならず、より円滑な操作を行うことができる点で優れる。
【００４７】
更に、雄ホック３の中央にホック内突起２ｇを形成したことによって、雄ホックの係着力を高めることができる。
【００４８】
また、図１３の調節用鉤ホック１Ａに示すように、実施例１における形態において、当接片２ｃを有する側の端部を略半円状に延設して、平面部２ａに略楕円形状の貫通孔２ｉを設けることもできる。同様にして、図１４の調節用鉤ホック５Ａに示すように、実施例２における形態において、当接片６ｃを有する側の端部を延設し、二つ又はそれ以上に分割するとともに略半円弧状とし、平面部６ａの当該先端部に略半円状の貫通孔６ｅを設けることもできる。また、図１５の調節用鉤ホック８Ａに示すように、実施例３における形態において、当接片９ｃを有する側の端部を略長方形状に延設して、平面部９ａに略半円状の貫通孔９ｅを設けることもできる。更に、図１６の調節用鉤ホック１１Ａに示すように、実施例４における形態において、当接片２ｅを有する側の端部を略半円状に延設して、平面部２ａに略長方形状の貫通孔２ｉを設けることもできる。
【００４９】
このように基体の端部に貫通孔を設けることによって、当該端部は糸等を介してズボン４における下生地４ｃに縫着することができるので、調節用鉤ホックの幅方向において当該端部が遊動するのを防止することができる。
【００５０】
更に、これらの延設した端部の形状及び貫通孔の形状は、各実施例の形態のいずれを採用してもよく、他の形状とすることもできる。
【００５１】
また、本願発明は上記実施例に限られず、各種のズボン、スカート等のウエスト部に設けられる衣服用ホックである衣服用雄ホック及び衣服用雌ホックにおいても採用することができるものである。
【００５２】
更に、係合手段である係合孔又は係合凸部を可能な限り増加させることで、利用者のウエストサイズに適合するサイズを拡張させることができる。
【符号の説明】
【００５３】
１、１Ａ、５、５Ａ、８、８Ａ、１１、１１Ａ  調節用鉤ホック
２          基体
２ａ        平面部
２ｂ        雄ホック
２ｃ        当接片
２ｄ        係合孔
２ｅ        当接片
２ｆ        段差
２ｇ        ホック内突起
２ｈ        裏面
２ｉ        貫通孔
３          スライドホック部材
３ａ        上端面部
３ｂ        側面部
３ｃ        下端面部
３ｄ        雌ホック
３ｅ        端部
３ｆ        係合爪
３ｇ        溝
４          ズボン
４ａ        ウエスト部
４ｂ        上生地
４ｃ        下生地
４ｄ        ズボン雄ホック
４ｅ        ズボン雌ホック
６          基体
６ａ        平面部
６ｂ        雄ホック
６ｃ        当接片
６ｄ        係合凸部
６ｅ        貫通孔
７          スライドホック部材
７ａ        上端面部
７ｂ        側面部
７ｃ        下端面部
７ｄ        雌ホック
７ｅ        係合孔
９          基体
９ａ        平面部
９ｂ        雌ホック
９ｃ        当接片
９ｄ        係合凸部
９ｅ        貫通孔
１０        スライドホック部材
１０ａ      上端面部
１０ｂ      側面部
１０ｃ      下端面部
１０ｄ      雄ホック
１０ｅ      係合孔
【図１】
2009213871.tif 000003
【図２】
2009213871.tif 000004
【図３】
2009213871.tif 000005
【図４】
2009213871.tif 000006
【図５】
2009213871.tif 000007
【図６】
2009213871.tif 000008
【図７】
2009213871.tif 000009
【図８】
2009213871.tif 000010
【図９】
2009213871.tif 000011
【図１０】
2009213871.tif 000012
【図１１】
2009213871.tif 000013
【図１２】
2009213871.tif 000014
【図１３】
2009213871.tif 000015
【図１４】
2009213871.tif 000016
【図１５】
2009213871.tif 000017
【図１６】
2009213871.tif 000018